(57)【要約】【課題】吸収性物品の開口近傍における吸収性シート部材とバックシート部材との間の厚さ方向の距離を大きく維持する。【解決手段】吸収性物品１では、吸収性シート部材２０の前部吸収コア２２１、側部吸収コア２２２および後部吸収コア２２３とバックシート部材２３とのそれぞれの間に、開口２５を通過した排泄物が収容される前部ポケット２６、側部ポケット２８および後部ポケット２７が形成される。吸収性物品１では、開口２５の左右両側の一対の側部吸収コア２２２と平面視において重なる一対のコア部弾性部材２９の収縮により、側部吸収コア２２２に収縮力が作用し、側部吸収コア２２２がバックシート部材２３から大きく離間する。これにより、開口２５近傍における吸収性シート部材２０とバックシート部材２３との間の厚さ方向の距離を大きく維持することができる。【選択図】図３
2010279538.tif 000002
【特許請求の範囲】
【請求項１】
着用者からの排泄物を受ける吸収性物品であって、
バックシート部材と、
前記バックシート部材上に重ねられて前記バックシート部材に外縁部が接合されることにより、前記バックシート部材が露出する開口を着用者の股間部に対向する位置に設ける吸収性シート部材と、
を備え、
前記吸収性シート部材が、
前記着用者の前側および後側の一方に配置される第１吸収コアと、
前記開口の左右方向の両側に配置される一対の第２吸収コアと、
前記第１吸収コアおよび前記一対の第２吸収コアを被覆する透液性のコア被覆シートと、
平面視において前記一対の第２吸収コアに重なるとともに前記バックシート部材の長手方向において前記一対の第２吸収コアに収縮力を作用させる一対のコア部弾性部材と、
を備え、
前記第１吸収コアと前記バックシート部材との間に前記開口から前記長手方向に広がる主ポケットが形成され、前記一対の第２吸収コアと前記バックシート部材との間に前記開口から左右に広がる一対の側部ポケットが形成されることを特徴とする吸収性物品。
【請求項２】
請求項１に記載の吸収性物品であって、
前記第１吸収コアが、前記着用者の前側に配置される前部吸収コアであることを特徴とする吸収性物品。
【請求項３】
請求項１または２に記載の吸収性物品であって、
前記一対の第２吸収コアがパルプを含むことを特徴とする吸収性物品。
【請求項４】
請求項１ないし３のいずれかに記載の吸収性物品であって、
前記一対のコア部弾性部材が、前記一対の第２吸収コアの前記バックシート部材に対向する面に配置されることを特徴とする吸収性物品。
【請求項５】
請求項１ないし４のいずれかに記載の吸収性物品であって、
前記一対のコア部弾性部材が、前記第１吸収コアに重なる位置まで設けられることを特徴とする吸収性物品。
【請求項６】
請求項１ないし５のいずれかに記載の吸収性物品であって、
コア部弾性部材が、前記左右方向における第２吸収コアの中央に、または、前記中央よりも前記開口側に偏って配置されることを特徴とする吸収性物品。
【請求項７】
請求項１ないし６のいずれかに記載の吸収性物品であって、
前記主ポケットの前記左右方向の両側において、前記バックシート部材の側端部が着用者とは反対側に折り返されて前記バックシート部材上に固定されることにより、前記長手方向に沿って伸びる一対の折り返し部が形成され、前記一対の折り返し部が、前記バックシート部材の前記開口内の露出領域まで、または、前記露出領域の近傍まで伸びることを特徴とする吸収性物品。
【請求項８】
請求項１ないし７のいずれかに記載の吸収性物品であって、
前記吸収性シート部材の左右両側部上において前記長手方向に伸びる一対の側壁部をさらに備えることを特徴とする吸収性物品。
【請求項９】
請求項１ないし８のいずれかに記載の吸収性物品であって、
前記吸収性シート部材が、前記着用者の前側および後側の他方に配置される第３吸収コアをさらに備え、
前記第３吸収コアと前記バックシート部材との間にもう１つのポケットが形成されることを特徴とする吸収性物品。
【請求項１０】
請求項１ないし９のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の使い捨て着用物品では、着用者の肛門に対向する開口が中央に形成された２枚のシートからなるライナが、バックシート上に固定された半剛性吸収体の着用者側に半剛性吸収体の後胴周域に対向して設けられており、ライナの開口を通過した軟便を、ライナと半剛性吸収体との間の空間に収容することにより、着用者に対する軟便の付着防止が図られている。特許文献１では、ライナの開口周縁に沿って弾性部材をライナに接合することにより開口状態を維持し、開口の左右方向の両側にて長手方向に伸びる弾性部材をライナに接合することにより、ライナを半剛性吸収体から離れるように持ち上げる技術が開示されている。
【０００４】
特許文献２の使い捨ておむつでは、左右方向の両側において長手方向に伸びるとともに着用者に向けて立ち上がる一対の側壁部の頂縁間（すなわち、着用者側の両端部の間）に２枚のシートからなる頂面部が設けられており、吸収コア、一対の側壁部、および、吸収コアと離間しつつ対向する頂面部により空洞部が形成され、頂面部に形成された開口を通過した排泄物が当該空洞部に収容される。頂面部では、好ましくは捲縮している合成繊維や発泡ウレタンシート等の軟質の発泡プラスチックシートにより形成されたパッド部材が、頂面部の開口の周囲において２枚のシートの間に設けられており、これにより、開口が着用者の肛門等からずれてしまうことが抑制される。また、一対の側壁部の頂縁には、パッド部材よりも左右方向の外側に位置するとともに長手方向に伸びる弾性部材が設けられており、当該弾性部材が収縮することにより一対の側壁部が起立する。
【０００５】
一方、特許文献３では、吸収性物品のトップシートとバックシートとの間に配置された吸収体の肛門に対向する部位に窪みを形成することにより、大便を収容する空間を形成する技術が開示されている。
【先行技術文献】
【特許文献】
【０００６】
【特許文献１】特開２００７−３００９４０号公報
【特許文献２】特許第３４０６２０５号公報
【特許文献３】特開２００７−２１１９１号公報
【発明の概要】
【発明が解決しようとする課題】
【０００７】
ところで、特許文献３の吸収性物品では、吸収体の窪みに収容された大便はトップシート上に存在し、大便と着用者との間を隔てる構成は設けられていない。このため、軟便が着用者の肌に広範囲に亘って付着することを防止することはできない。
【０００８】
また、特許文献１の使い捨て着用物品では、ライナが２枚のシートを積層した薄いシートであるため、着用者の体圧等によりライナと半剛性吸収体との間の空間が押しつぶされやすくなり、軟便等を収容することができないおそれがある。また、着用者の動きによりライナが捩れてしまい、開口が着用者の肛門等からずれてしまう可能性もある。
【０００９】
特許文献２の使い捨ておむつでも同様に、頂面部が開口の周囲を除いて薄いシートとされるため、着用者の体圧等により頂面部と吸収コアとの間の空洞部が押しつぶされやすくなり、軟便等を収容することができないおそれがある。また、特許文献２の使い捨ておむつでは、側壁部および頂面部の外面が疎水性（好ましくは疎水性かつ不透液性）とされるため、開口が肛門等から僅かでもずれると、開口を通過しなかった排泄物が頂面部に沿って前後に広がってしまい、着用者の肌に広範囲に亘って付着することとなる。
【００１０】
本発明は、上記課題に鑑みなされたものであり、吸収性物品の開口近傍における吸収性シート部材とバックシート部材との間の厚さ方向の距離を大きく維持することを目的としている。
【課題を解決するための手段】
【００１１】
請求項１に記載の発明は、着用者からの排泄物を受ける吸収性物品であって、バックシート部材と、前記バックシート部材上に重ねられて前記バックシート部材に外縁部が接合されることにより、前記バックシート部材が露出する開口を着用者の股間部に対向する位置に設ける吸収性シート部材とを備え、前記吸収性シート部材が、前記着用者の前側および後側の一方に配置される第１吸収コアと、前記開口の左右方向の両側に配置される一対の第２吸収コアと、前記第１吸収コアおよび前記一対の第２吸収コアを被覆する透液性のコア被覆シートと、平面視において前記一対の第２吸収コアに重なるとともに前記バックシート部材の長手方向において前記一対の第２吸収コアに収縮力を作用させる一対のコア部弾性部材とを備え、前記第１吸収コアと前記バックシート部材との間に前記開口から前記長手方向に広がる主ポケットが形成され、前記一対の第２吸収コアと前記バックシート部材との間に前記開口から左右に広がる一対の側部ポケットが形成される。
【００１２】
請求項２に記載の発明は、請求項１に記載の吸収性物品であって、前記第１吸収コアが、前記着用者の前側に配置される前部吸収コアである。
【００１３】
請求項３に記載の発明は、請求項１または２に記載の吸収性物品であって、前記一対の第２吸収コアがパルプを含む。
【００１４】
請求項４に記載の発明は、請求項１ないし３のいずれかに記載の吸収性物品であって、前記一対のコア部弾性部材が、前記一対の第２吸収コアの前記バックシート部材に対向する面に配置される。
【００１５】
請求項５に記載の発明は、請求項１ないし４のいずれかに記載の吸収性物品であって、前記一対のコア部弾性部材が、前記第１吸収コアに重なる位置まで設けられる。
【００１６】
請求項６に記載の発明は、請求項１ないし５のいずれかに記載の吸収性物品であって、コア部弾性部材が、前記左右方向における第２吸収コアの中央に、または、前記中央よりも前記開口側に偏って配置される。
【００１７】
請求項７に記載の発明は、請求項１ないし６のいずれかに記載の吸収性物品であって、前記主ポケットの前記左右方向の両側において、前記バックシート部材の側端部が着用者とは反対側に折り返されて前記バックシート部材上に固定されることにより、前記長手方向に沿って伸びる一対の折り返し部が形成され、前記一対の折り返し部が、前記バックシート部材の前記開口内の露出領域まで、または、前記露出領域の近傍まで伸びる。
【００１８】
請求項８に記載の発明は、請求項１ないし７のいずれかに記載の吸収性物品であって、前記吸収性シート部材の左右両側部上において前記長手方向に伸びる一対の側壁部をさらに備える。
【００１９】
請求項９に記載の発明は、請求項１ないし８のいずれかに記載の吸収性物品であって、前記吸収性シート部材が、前記着用者の前側および後側の他方に配置される第３吸収コアをさらに備え、前記第３吸収コアと前記バックシート部材との間にもう１つのポケットが形成される。
【００２０】
請求項１０に記載の発明は、請求項１ないし９のいずれかに記載の吸収性物品であって、着用者が着用する外装物品の内側に取り付けられる補助吸収具である。
【発明の効果】
【００２１】
本発明では、吸収性物品の開口近傍における吸収性シート部材とバックシート部材との間の厚さ方向の距離を大きく維持することができる。
【図面の簡単な説明】
【００２２】
【図１】吸収性物品の平面図である。
【図２】吸収性物品の断面図である。
【図３】吸収性物品の断面図である。
【図４】吸収性物品の断面図である。
【図５】吸収性物品の断面図である。
【図６】吸収性物品の断面図である。
【図７】吸収性物品の断面図である。
【図８】バックシート部材の底面図である。
【図９】吸収性物品の一部を拡大して示す断面図である。
【発明を実施するための形態】
【００２３】
図１は、本発明の一の実施の形態に係る吸収性物品１を長手方向に広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００２４】
図１に示すように、吸収性物品１は、平面視において略矩形状である略シート状の本体部２、および、本体部２の左右方向（本体部２の幅方向であり、図１中の左右方向に一致する。）の両側において左右方向に垂直な長手方向（すなわち、図１中の上下方向）のおよそ全長に亘って設けられた一対のサイドシート３を備える。本体部２の図１中における上側の部位は着用者の前側（腹側）の肌に接する部位であり、下側の部位は着用者の後側（背側）の肌に接する部位である。
【００２５】
図２ないし図６はそれぞれ、図１中に示すＡ−ＡないしＥ−Ｅの位置にて、吸収性物品１を長手方向に垂直な面で切断した断面図である。また、図７は、吸収性物品１を図１中に示すＦ−Ｆの位置にて左右方向に垂直な面で切断した断面図である。図２ないし図６に示すように、一対のサイドシート３はそれぞれ、本体部２に接合される帯状の部位である接合部３３、接合部３３に連続するとともに少なくとも一部が起立する側壁部３４、および、側壁部３４に長手方向に沿って接合される側壁部弾性部材３２を備える。本実施の形態では、側壁部弾性部材３２は、図１ないし図６に示すように３本の弾性糸３２１を有し、３本の弾性糸３２１のうちの１本は側壁部３４の着用者側の端部である自由端近傍に接合される。
【００２６】
吸収性物品１では、サイドシート３が、本体部２の上側（図２ないし図６中の上側に一致する。）にて左右方向の外側（すなわち、左右方向における吸収性物品１の中心線とは反対側）に折り返されることにより側壁部３４が形成されており、側壁部３４は、図２および図６に示すように、長手方向の両端部にて接合部３３上に接合される。吸収性物品１では、側壁部３４に設けられた側壁部弾性部材３２が収縮することにより、図３ないし図５に示すように、側壁部３４の長手方向の両端部を除く部位が本体部２の側方において着用者側に向かって起立し、着用時に着用者の足の付け根近傍に当接する立体ギャザーが形成される。また、側壁部３４が接合部３３の内側エッジから左右方向の外側へと広がるように折り返されることにより、立体ギャザーが左右方向において着用者の肌の広い範囲に亘って密着する。
【００２７】
サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）を、長手方向に伸びる折り曲げ線にて２つ折りにし、折り重ねられた２つの部位の間に側壁部弾性部材３２を挟むことにより形成される。側壁部弾性部材３２としては、例えば、ポリウレタン糸、帯状のポリウレタンフィルム、糸状または帯状の天然ゴム等が用いられ、本実施の形態では、上述のように、弾性糸３２１としてポリウレタン糸が利用される。
【００２８】
図１ないし図７に示すように、本体部２は、バックシート部材２３、および、バックシート部材２３上（すなわち、バックシート部材２３の着用者側）に重ねられてバックシート部材２３に外縁部が接合される吸収性シート部材２０を備える。吸収性シート部材２０の長手方向のおよそ中央から後側（背側）には、図１、図３、図４および図７に示すように、着用者の股間部から臀部に至る部位に対向する開口２５が形成されており、開口２５の左右方向の幅は、吸収性物品１の幅よりも小さくされる。バックシート部材２３は、吸収性シート部材２０の開口２５に重なって（すなわち、着用者の股間部から臀部に至る部位に対向する位置に設けられた開口２５から露出して）着用者の股間部から臀部に至る部位に直接対向する露出領域２３４を有する。
【００２９】
吸収性シート部材２０は、図１に示すように、吸収性物品１の着用時に着用者の前側（腹側）に配置される前部吸収コア２２１、開口２５の左右方向の両側に配置される一対の側部吸収コア２２２、および、着用者の後側に配置される後部吸収コア２２３を備え、図７に示すように、前部吸収コア２２１、側部吸収コア２２２（図７では示されない。）および後部吸収コア２２３のそれぞれの上面および下面（すなわち、前部吸収コア２２１、側部吸収コア２２２および後部吸収コア２２３のそれぞれの着用者側およびバックシート部材２３側）を被覆する透液性のコア被覆シート２１を備える。図１に示すように、前部吸収コア２２１、側部吸収コア２２２および後部吸収コア２２３は、吸収性シート部材２０の長手方向（バックシート部材２３の長手方向でもある。）に連続して一体的に形成されており、以下の説明では、前部吸収コア２２１、側部吸収コア２２２および後部吸収コア２２３をまとめて、「吸収コア２２」ともいう。図１中では、図の理解を容易にするために、吸収コア２２の輪郭を太い破線にて描くとともに吸収コア２２に平行斜線を付す。
【００３０】
図１ないし図７に示す吸収性シート部材２０の吸収コア２２は、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成され、コア被覆シート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。本実施の形態では、吸収コア２２はパルプ繊維およびＳＡＰを含む。
【００３１】
図２ないし図７に示すコア被覆シート２１は、透液性のシート材料、例えば、親水性繊維により形成された不織布であり、着用者からの排泄物の水分を速やかに捕捉して吸収コア２２へと移動させる。コア被覆シート２１として利用される不織布は、例えば、ポイントボンド不織布やエアスルー不織布、スパンレース不織布であり、これらの不織布を形成する親水性繊維としては通常、セルロースやレーヨン、コットン等が用いられる。なお、コア被覆シート２１として、表面を界面活性剤により親水処理した疎水性繊維（例えば、ポリプロピレン、ポリエチレン、ポリエステル、ポリアミド、ナイロン）にて形成された透液性の不織布が利用されてもよい。
【００３２】
図１に示すように、前部吸収コア２２１の長手方向の長さは、一対の側部吸収コア２２２のそれぞれの長手方向の長さにおよそ等しく、後部吸収コア２２３の長手方向の長さは、前部吸収コア２２１の長手方向の長さよりも小さい。また、一対の側部吸収コア２２２の一方の外側縁から他方の外側縁までの左右方向の距離は、後部吸収コア２２３の左右方向の幅におよそ等しく、前部吸収コア２２１の左右方向の幅は、後部吸収コア２２３の左右方向の幅よりも小さい。吸収性物品１では、本体部２の前側の部位の左右方向の幅も、本体部２の後側の部位の左右方向の幅よりも小さい。
【００３３】
吸収性物品１では、前部吸収コア２２１の開口２５近傍のコアエッジ、および、開口２５の前部吸収コア２２１側のエッジは長手方向に関して凹状となっており、前部吸収コア２２１には、コアエッジから長手方向に沿って伸びるスリット２２１１が形成されている。また、後部吸収コア２２３の開口２５近傍のコアエッジ、および、開口２５の後部吸収コア２２３側のエッジは、左右方向におよそ平行とされる。図２ないし図７に示すように、コア被覆シート２１は、吸収コア２２（すなわち、前部吸収コア２２１、一対の側部吸収コア２２２および後部吸収コア２２３）の上面を覆う第１被覆シート２１１、並びに、吸収コア２２の下面を覆う第２被覆シート２１２を備える。
【００３４】
吸収性シート部材２０は、また、図１ないし図６に示すように、開口２５の左右方向の両側にて長手方向に伸びる（すなわち、開口２５の左右方向の外側にて前部吸収コア２２１、側部吸収コア２２２および後部吸収コア２２３が並ぶ方向を向いて配置される）一対のコア部弾性部材２９を備える。コア部弾性部材２９としては、例えば、ポリウレタン糸、帯状のポリウレタンフィルム、糸状または帯状の天然ゴム等が用いられ、本実施の形態では、各コア部弾性部材２９はポリウレタンにより形成された２本の弾性糸２９１を有する。
【００３５】
図１に示すように、一対のコア部弾性部材２９は、平面視において一対の側部吸収コア２２２に重なっており、コア部弾性部材２９の長手方向の前側の部位は、開口２５の側方から前部吸収コア２２１の側部まで（すなわち、平面視において前部吸収コア２２１の両側端部におよそ重なる位置まで）伸びている。また、コア部弾性部材２９の長手方向の後側の部位は、開口２５の側方から後部吸収コア２２３に重なる位置まで伸びている。図１、図３および図４に示すように、開口２５の側方では、コア部弾性部材２９は、左右方向における側部吸収コア２２２の中央に、または、当該中央よりも開口２５側（すなわち、内側）に偏って配置される。
【００３６】
一対のコア部弾性部材２９は、図２ないし図６に示すように、吸収コア２２のバックシート部材２３に対向する面にて吸収コア２２とコア被覆シート２１の第２被覆シート２１２との間に配置され、伸張状態にて第２被覆シート２１２および吸収コア２２に接合される。吸収性物品１では、一対のコア部弾性部材２９が収縮することにより、長手方向において一対の側部吸収コア２２２に収縮力が作用して側部吸収コア２２２が上側へと移動し、バックシート部材２３から離間する。また、前部吸収コア２２１および後部吸収コア２２３が互いに他方に向かって引き寄せられ、吸収性物品１の前側および後側の部位が着用者に沿うように変形する。
【００３７】
吸収性物品１では、図３および図４に示すように、開口２５の左右方向の両側において、側部吸収コア２２２がバックシート部材２３と非接合とされることにより、一対の側部吸収コア２２２とバックシート部材２３との間（すなわち、吸収性シート部材２０の一対の側部吸収コア２２２に対応する部位とバックシート部材２３との間）に、開口２５から左右に広がる一対の側部ポケット２８が形成される。
【００３８】
バックシート部材２３は、図２ないし図７に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上に積層された親水性シート２３２を備える。図２ないし図７では、図示の都合上、吸収シート２３３を太実線にて示している。
【００３９】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート部材２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４０】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維により形成される不織布、親水処理した疎水性繊維により形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００４１】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００４２】
バックシート部材２３の外装シート２３１は、図２ないし図６に示すように、本体部２の左右方向の両側において吸収性シート部材２０の第１被覆シート２１１の側端部に接合される。また、一対のサイドシート３は、バックシート部材２３の外装シート２３１の外面（すなわち、着用者とは反対側の面）に接合される。
【００４３】
本体部２では、図１に示す吸収性シート部材２０の前部吸収コア２２１の周囲が、開口２５およびその周辺部を除いてバックシート部材２３の着用者側の面と接合されることにより、図５ないし図７に示すように、前部吸収コア２２１とバックシート部材２３との間（すなわち、吸収性シート部材２０の前部吸収コア２２１に対応する部位とバックシート部材２３との間）に開口２５から長手方向の前方に広がる前部ポケット２６が形成される。また、図２および図７に示すように、吸収性シート部材２０の後部吸収コア２２３の周囲が、開口２５およびその周辺部を除いてバックシート部材２３の着用者側の面と接合されることにより、後部吸収コア２２３とバックシート部材２３との間に後部ポケット２７が形成される。図１に示す吸収性物品１では、前部ポケット２６および後部ポケット２７は、一対の側部ポケット２８と連続している。
【００４４】
本実施の形態では、開口２５が吸収性シート部材２０の長手方向の中央部から後側の部位にかけて設けられており、上述のように、前部吸収コア２２１が後部吸収コア２２３よりも長くなっている。このため、前部ポケット２６の長手方向の長さが後部ポケット２７の長手方向の長さよりも大きくなり、前部ポケット２６が、排泄物を主に収容する主ポケットとなる。
【００４５】
図６に示すように、吸収性物品１では、前部ポケット２６の左右方向の両側において、バックシート部材２３の側端部２３５が、コア被覆シート２１およびサイドシート３と共に、着用者とは反対側にて左右方向の内側に向かって折り返され、バックシート部材２３の側端部２３５と対向する部位上にホットメルト接着剤や熱圧着等により固定される。以下、ホットメルト接着剤等により固定されたバックシート部材２３の左右方向の両側の側端部２３５を「折り返し部２３５」という。本実施の形態では、折り返し部２３５の左右方向の幅は、長手方向のおよそ全長に亘って一定とされる。
【００４６】
図８は、着用者とは反対側からバックシート部材２３を見た底面図である。図８では、吸収性シート部材２０の開口２５（図１参照）と重なる露出領域２３４を二点鎖線にて囲んでおり、図８中において露出領域２３４よりも上側および下側にそれぞれ前部ポケット２６および後部ポケット２７が形成され、露出領域２３４の左右両側に側部ポケット２８が形成されている。また、図８では、図の理解を容易にするために、折り返し部２３５に平行斜線を付す。
【００４７】
図５、図６および図８に示すように、長手方向に沿って伸びる一対の折り返し部２３５は、前部ポケット２６に重なる位置からバックシート部材２３の開口２５内の露出領域２３４まで、または、露出領域２３４の近傍まで伸びる。本実施の形態では、各折り返し部２３５が、前部ポケット２６の長手方向の前端部から露出領域２３４と前部ポケット２６との間の境界近傍まで（すなわち、前部ポケット２６の長手方向のおよそ全長に亘って）設けられる。さらに、露出領域２３４およびその側方において、バックシート部材２３の着用者側とは反対側に折り返された側端部はバックシート部材２３上には固定されず、図４に示すように、前部ポケット２６から離れるに従って左右方向の外側へと広がる（すなわち、折り返しが漸次解消される）。そして、図４および図８に示すように、一対の折り返し部２３５から連続する一対の折り目２３６が露出領域２３４、または、露出領域２３４の左右方向の側方に形成される。
【００４８】
折り目２３６は、露出領域２３４と前部ポケット２６との間の境界上、または、当該境界の左右方向への延長線上において、吸収性物品１の側部エッジ（すなわち、吸収性物品１の最も幅が大きい後側の部位におけるエッジ）よりも左右方向の内側に位置する。また、前部ポケット２６内では、図６の左半分を拡大した図９に示すように、折り返し部２３５の着用者とは反対側の親水性シート２３２の面２３５１が、コア被覆シート２１の第２被覆シート２１２により覆われるとともに、当該面２３５１に対向する第２被覆シート２１２の面２１３と非接合とされる。なお、折り返し部２３５の親水性シート２３２の面２３５１は、必ずしも第２被覆シート２１２により覆われる必要はなく、コア被覆シート２１から連続する他の部材（例えば、サイドシート３）により覆われるとともに当該他の部材と非接合とされてもよい。
【００４９】
図１に示す吸収性物品１では、着用者から排泄された軟便等の排泄物が、開口２５を介してバックシート部材２３へと向かい、バックシート部材２３の露出領域２３４にて受けられる。露出領域２３４にて受けられた排泄物は、前部ポケット２６、側部ポケット２８および後部ポケット２７の内部空間へと移動して収容される。
【００５０】
以上に説明したように、吸収性物品１では、開口２５の左右両側に一対の側部吸収コア２２２が設けられることにより、吸収性シート部材２０の開口２５の左右両側の部位の剛性が向上される。その結果、コア部弾性部材２９や側壁部弾性部材３２の収縮により吸収性シート部材２０の開口２５が長手方向に収縮することが抑制され、開口２５の長手方向の大きさを大きく維持することができる。また、一対のコア部弾性部材２９の収縮により、開口２５の左右両側の側部吸収コア２２２に収縮力が作用し、側部吸収コア２２２がバックシート部材２３から大きく離間する。これにより、開口２５近傍における吸収性シート部材２０とバックシート部材２３との間の厚さ方向の距離を大きく維持することができる。その結果、吸収性物品１では、排泄物を前部ポケット２６、側部ポケット２８および後部ポケット２７に確実に収容して保持することができ、排泄物が着用者の肌に広範囲に亘って付着することが防止される。
【００５１】
このように、吸収性物品１は、着用者の肌の比較的狭い範囲のみを覆うにも関わらず排泄物を確実に収容して保持することができるため、使い捨ておむつ等の外装物品の内側に取り付けられて容易に交換可能な補助吸収具に特に適している。
【００５２】
ところで、吸収性物品１の着用者は、仰臥位や側臥位または座位等の体位を取ることが多いため、着用者の前側には体圧がほとんど加わらない。吸収性物品１では、上述のように、着用者の前側に配置される前部吸収コア２２１とバックシート部材２３との間に形成された前部ポケット２６が、排泄物を主に収容する主ポケットとされる。したがって、吸収性物品１は、仰臥位や側臥位または座位等、様々な体位を取る着用者からの排泄物の収容に特に適しているといえる。
【００５３】
吸収性物品１では、一対の側部吸収コア２２２がパルプを含むことにより、吸収性シート部材２０の開口２５の左右両側の部位の剛性がより向上される。これにより、開口２５の長手方向の大きさをより確実に大きく維持することができる。また、図３および図４に示すように、比較的高い剛性を有する側部吸収コア２２２がバックシート部材２３から起立することにより、開口２５近傍における吸収性シート部材２０とバックシート部材２３との間の厚さ方向の距離を大きくすることができる。その結果、前部ポケット２６、側部ポケット２８および後部ポケット２７に、排泄物をより確実に収容することができる。
【００５４】
吸収性シート部材２０では、コア部弾性部材２９が側部吸収コア２２２の左右方向の中央に、または、当該中央よりも開口２５側に偏って配置されているため、コア部弾性部材２９の収縮により、側部吸収コア２２２の左右方向の内側の部位（すなわち、開口２５近傍の部位）が外側の部位よりも高くなるように側部吸収コア２２２が起立する。これにより、開口２５近傍における吸収性シート部材２０とバックシート部材２３との間の厚さ方向の距離をより大きくすることができ、吸収性物品１の排泄物の収容力を向上することができる。
【００５５】
吸収性シート部材２０では、コア部弾性部材２９が側部吸収コア２２２のバックシート部材２３に対向する面に配置されることにより、コア部弾性部材２９の収縮により側部吸収コア２２２をバックシート部材２３からより大きく離間させることができる。その結果、吸収性物品１の排泄物の収容力をより向上することができる。また、コア部弾性部材２９が前部吸収コア２２１に重なる位置まで設けられることにより、吸収性シート部材２０の前側の部位を着用者に沿うように変形させることができるとともに、側部吸収コア２２２をバックシート部材２３からさらに大きく離間させることができる。さらに、コア部弾性部材２９が後部吸収コア２２３に重なる位置まで設けられることにより、吸収性シート部材２０の後側の部位を着用者に沿うように変形させることができるとともに、側部吸収コア２２２をバックシート部材２３からより一層大きく離間させることができる。
【００５６】
吸収性物品１では、上述のように、前部ポケット２６の左右方向の両側において、バックシート部材２３の側端部が着用者側とは反対側に折り返されてバックシート部材２３上に固定されることにより、長手方向に沿って伸びる一対の折り返し部２３５が形成され、一対の折り返し部２３５が、前部ポケット２６から露出領域２３４まで、または、露出領域２３４の近傍まで伸びる。これにより、主ポケットである前部ポケット２６から露出領域２３４にかけてのバックシート部材２３の長手方向の剛性を向上することができる。その結果、コア部弾性部材２９や側壁部弾性部材３２の収縮により吸収性シート部材２０の開口２５が長手方向に収縮することがより一層抑制され、開口２５の長手方向の大きさがより確実に大きく維持される。
【００５７】
吸収性物品１では、一対の折り返し部２３５から連続する一対の折り目２３６が露出領域２３４またはその側方に形成されることにより、露出領域２３４におけるバックシート部材２３の長手方向の剛性を向上しつつ露出領域２３４を吸収性シート部材２０から厚さ方向に大きく離間させることが可能とされる。このため、露出領域２３４にて受けられた排泄物が着用者の肌に付着することをより一層抑制することができるとともに吸収性物品１の排泄物の収容力を向上することができる。また、露出領域２３４にて受けられた排泄物が折り目２３６の左右方向の外側の部位を伝わって前部ポケット２６の前端部（すなわち、長手方向における露出領域２３４とは反対側の端部）の隅部まで移動するため、排泄物の収容において、前部ポケット２６全体を効率的に利用することができる。
【００５８】
上述のように、バックシート部材２３では、一対の折り返し部２３５が前部ポケット２６のおよそ全長に亘ってバックシート部材２３に接合されることにより、折り返し部２３５に連続する折り目２３６の露出領域２３４における長手方向の剛性が向上される。その結果、露出領域２３４におけるバックシート部材２３の長手方向の剛性がさらに向上され、吸収性シート部材２０の開口２５をより確実に大きく維持することができる。また、前部ポケット２６内において（特に、露出領域２３４の近傍において）、折り返し部２３５の着用者とは反対側の面２３５１（図９参照）が、当該面２３５１に対向するコア被覆シート２１の面２１３と非接合とされることにより、露出領域２３４において、折り目２３６が着用者側へと（吸収性シート部材２０に向かって）容易に立ち上がる。その結果、露出領域２３４の剛性向上が容易に実現され、吸収性シート部材２０の開口２５の維持も容易とされる。
【００５９】
吸収性物品１では、前部吸収コア２２１の幅が後部吸収コア２２３の幅よりも小さくされ、前部吸収コア２２１の左右方向の両側端にてコア被覆シート２１がバックシート部材２３と共に折り返されることにより一対の折り返し部２３５が形成される。これにより、折り返し部２３５の左右方向の外側のエッジに連続する折り目２３６を、露出領域２３４と前部ポケット２６との間の境界上、または、当該境界の左右方向への延長線上において、確実に吸収性物品１の側部エッジよりも左右方向の内側に位置させることができる。これにより、露出領域２３４の長手方向の剛性を確実に向上することができる。また、前部吸収コア２２１の両側端を利用して折り返し部２３５を容易に形成することができるとともに、吸収性物品１の前後の判別を容易とすることもできる。さらに、前部吸収コア２２１にスリット２２１１が設けられることにより、前部吸収コア２２１が着用者側に凸状となるように変形しやすくなるため、前部ポケット２６の高さ（すなわち、前部吸収コア２２１とバックシート部材２３との厚さ方向の距離）をよりを大きくすることができる。
【００６０】
吸収性物品１では、吸収性シート部材２０の左右両側部上において長手方向に伸びる一対の側壁部３４が設けられ、側壁部弾性部材３２により側壁部３４が収縮して立体ギャザーが形成されることにより、排泄物の一部が、前部ポケット２６、側部ポケット２８および後部ポケット２７に収容されなかった場合であっても、当該排泄物の一部が着用者の脚周りから漏出することを抑制することができる。吸収性物品１では、上述のように、一対の側部吸収コア２２２により開口２５の左右両側の部位の剛性が向上され、開口２５の長手方向の大きさを大きく維持することができる。このため、吸収性物品１の構造は、開口２５の左右両側において長手方向に収縮する側壁部３４を備える吸収性物品に特に適している。
【００６１】
以上、本発明の実施の形態について説明してきたが、本発明は上記実施の形態に限定されるものではなく、様々な変更が可能である。
【００６２】
例えば、吸収コア２２は必ずしもパルプを含む必要はなく、比較的厚く剛性が高い透液性の不織布やプラスチックフィルム上にホットメルト接着剤等によりＳＡＰが直接接合されたものが吸収コア２２として利用されてもよい。吸収性物品１では、必ずしもバックシート部材２３の側端部が折り返されて折り返し部が形成される必要はなく、また、前部吸収コア２２１の左右方向の幅は、後部吸収コア２２３の左右方向の幅とおよそ等しくされてもよい。
【００６３】
上記実施の形態に係る吸収性物品１では、前部吸収コア２２１、側部吸収コア２２２および後部吸収コア２２３が一体的に形成されているが、例えば、前部吸収コア２２１、一対の側部吸収コア２２２および後部吸収コア２２３がそれぞれ個別に形成され、開口２５を形成するように隣接して配置されて（すなわち、コア被覆シート２１の開口の周囲に配置されて）コア被覆シート２１により被覆されてもよい。
【００６４】
一対のコア部弾性部材２９は、開口２５近傍における吸収性シート部材２０とバックシート部材２３との間の厚さ方向の距離を大きくするという観点からは、前部吸収コア２２１に重なる位置から後部吸収コア２２３に重なる位置まで設けられることが好ましいが、必ずしも、前部吸収コア２２１に重なる位置から後部吸収コア２２３に重なる位置まで設けられる必要はなく、平面視において少なくとも一対の側部吸収コア２２２に重なっていればよい。
【００６５】
また、開口２５近傍における吸収性シート部材２０とバックシート部材２３との間の厚さ方向の距離を十分に大きくすることができる場合は、各コア部弾性部材２９は、左右方向における側部吸収コア２２２の中央よりも開口２５から遠い位置に配置されてもよい。側部吸収コア２２２をバックシート部材２３から大きく離間させるという観点からは、コア部弾性部材２９は、側部吸収コア２２２のバックシート部材２３に対向する面に配置されることが好ましいが、側部吸収コア２２２をバックシート部材２３から十分に離間させることができる場合は、例えば、コア部弾性部材２９は側部吸収コア２２２の上側（着用者側）にて側部吸収コア２２２とコア被覆シート２１の第１被覆シート２１１との間に接合されてもよい。
【００６６】
吸収性物品１では、排泄物の収容力を大きくするためには、吸収性シート部材２０とバックシート部材２３との間に前部ポケット２６、側部ポケット２８および後部ポケット２７が設けられることが好ましい。ただし、排泄物の収容力が十分確保されるのであれば、主ポケットである前部ポケット２６および側部ポケット２８のみが吸収性シート部材２０とバックシート部材２３との間に設けられ、後部ポケット２７は省略されてもよい。後部ポケット２７が設けられない場合、吸収性シート部材２０の開口２５よりも後側の部位は、およそ全面に亘ってバックシート部材２３に接合される。なお、この場合、吸収性シート部材２０から後部吸収コア２２３が省略されてもよい。
【００６７】
一方、吸収性物品１が、腹臥位等、前側に体圧が加わりやすい体位を取ることが多い着用者に使用される場合、後部吸収コア２２３とバックシート部材２３との間に形成される後部ポケット２７が主ポケットとされてもよい。後部ポケット２７が主ポケットとされる場合、前部ポケット２６や前部吸収コア２２１は省略されてもよい。
【００６８】
換言すれば、吸収コア２２のうち、着用者の前側および後側の一方に配置されてバックシート部材２３との間で主ポケットを形成する部位を第１吸収コアと呼び、バックシート部材２３との間で側部ポケット２８を形成する側部吸収コア２２２を第２吸収コアと呼び、着用者の前側および後側の他方に配置されて主ポケットおよび側部ポケット２８ではない体圧が加わるもう１つのポケットをバックシート部材２３との間に形成する部位を第３吸収コアと呼ぶと、吸収性物品１では、第３吸収コアおよび第３吸収コアとバックシート部材２３との間のポケットは省略されてもよい。
【００６９】
吸収性シート部材２０では、コア被覆シート２１は１枚のシート部材とされてもよく、この場合、当該シート部材の吸収コア２２の着用者側を覆う部位が第１被覆シート２１１に相当し、吸収コア２２のバックシート部材２３側を覆う部位が第２被覆シート２１２に相当する。また、コア被覆シート２１は、少なくとも吸収コア２２の着用者側を覆っていればよい。
【００７０】
バックシート部材２３は、少なくとも撥水性または不透液性の外装シート２３１を備えていればよく、親水性シート２３２および吸収シート２３３のいずれか一方または両方が省略されてもよい。
【００７１】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【符号の説明】
【００７２】
１  吸収性物品
２０  吸収性シート部材
２１  コア被覆シート
２３  バックシート部材
２５  開口
２６  前部ポケット
２７  後部ポケット
２８  側部ポケット
２９  コア部弾性部材
３４  側壁部
２２１  前部吸収コア
２２２  側部吸収コア
２２３  後部吸収コア
２３４  露出領域
２３５  折り返し部
【図１】
2010279538.tif 000003
【図２】
2010279538.tif 000004
【図３】
2010279538.tif 000005
【図４】
2010279538.tif 000006
【図５】
2010279538.tif 000007
【図６】
2010279538.tif 000008
【図７】
2010279538.tif 000009
【図８】
2010279538.tif 000010
【図９】
2010279538.tif 000011